(57)【特許請求の範囲】
【請求項１】
カラー画像データに対し、表示に使用されるＲＧＢ表色系の値を印刷に使用されるＣＭＹＫ表色系の値に変換する画像処理を行なう画像処理装置であって、
第１の種類のカラー画像データと、書込データである第２の種類のカラー画像データとを含むカラー画像データを記憶するための記憶手段と、
予め定める画像処理の指示に応答して、前記第１の種類のカラー画像データに対して、前記第１の種類のカラー画像データに対して最適化された第１の色変換プロファイルを用いて、第１の色変換処理を実行するための第１の画像処理手段と、
前記指示に応答して、前記第２の種類のカラー画像データに対して、前記書込データに対して最適化された第２の色変換プロファイルを用いて、前記第１の色変換処理と異なる第２の色変換処理を実行するとともに、ユーザの要望に対応して予め作成される太さ変換テーブルを用いて、前記書込データの太さを変換する処理を実行するための第２の画像処理手段と、を含み、
前記第２の色変換プロファイルは、色を識別するための色番号を示すカラムと、表示される際の各色のＲＧＢ値を示すカラムと、印刷される際の各色のＣＭＹＫ値を指示するカラムと、を含む所定の色変換テーブルであり、
前記太さ変換テーブルは、表示される際の書込データの太さを示すカラムと、印刷される際の、各書込データの太さに対応するプリンタドット数を示すカラムと、を含む、画像処理装置。
【請求項２】
さらに、前記第１の画像処理手段により色変換された前記第１の種類のカラー画像データに、前記第２の画像処理手段により色変換された前記第２の種類のカラー画像データを重畳して出力するための出力手段を含む、請求項１に記載の画像処理装置。
【請求項３】
前記第１の画像処理手段は、前記画像処理の指示に応答して、前記第１の種類のカラー画像データに対して予め準備された第１の色変換プロファイルを指定して出力するための第１のプロファイル指定手段を含み、
前記第２の画像処理手段は、前記画像処理の指示に応答して、前記第２の種類のカラー画像データに対して予め準備された、前記第１の色変換プロファイルと異なる第２の色変換プロファイルを指定して出力するための第２のプロファイル指定手段を含む、請求項１〜請求項２のいずれかに記載の画像処理装置。
【請求項４】
前記第２の画像処理手段を能動化及び不能化することが可能であり、
前記第１の画像処理手段は、前記第２の画像処理手段が不能化されたときには、前記第２の種類のカラー画像データについても、前記第１の色変換処理を実行することを特徴とする、請求項１〜請求項３のいずれかに記載の画像処理装置。
【請求項５】
コンピュータにより実行されると、当該コンピュータを、
カラー画像データに対し、表示に使用されるＲＧＢ表色系の値を印刷に使用されるＣＭＹＫ表色系の値に変換する画像処理を行なう画像処理装置であって、  第１の種類のカラー画像データと、書込データである第２の種類のカラー画像データとを含むカラー画像データを記憶するための記憶手段と、
予め定める画像処理の指示に応答して、前記第１の種類のカラー画像データに対して、前記第１の種類のカラー画像データに対して最適化された第１の色変換プロファイルを用いて、第１の色変換処理を実行するための第１の画像処理手段と、
前記指示に応答して、前記第２の種類のカラー画像データに対して、前記書込データに対して最適化された第２の色変換プロファイルを用いて、前記第１の色変換処理と異なる第２の色変換処理を実行するとともに、ユーザの要望に対応して予め作成される太さ変換テーブルを用いて、前記書込データの太さを変換する処理を実行するための第２の画像処理手段とを含み、
前記第２の色変換プロファイルは、色を識別するための色番号を示すカラムと、表示される際の各色のＲＧＢ値を示すカラムと、印刷される際の各色のＣＭＹＫ値を指示するカラムと、を含む所定の色変換テーブルであり、
前記太さ変換テーブルは、表示される際の書込データの太さを示すカラムと、印刷される際の、各書込データの太さに対応するプリンタドット数を示すカラムと、を含む、画像処理装置として機能させるためのコンピュータプログラム。
【発明の詳細な説明】
【技術分野】
【０００１】
本発明は、２種類以上の画像からなるカラー画像データを処理する画像処理装置及びコンピュータプログラムに関し、特に２種類以上の画像を含むカラー画像データを、良好な色あいで出力する技術に関する。
【背景技術】
【０００２】
近年、会議、発表会等におけるプレゼンテーションツールとして、大型ディスプレイ及びこれに接続されるＰＣ（Ｐｅｒｓｏｎａｌ  Ｃｏｍｐｕｔｅｒ）等を含む表示装置が広く採用されつつある。ＰＣは、スキャナ等の外部装置から入力されたデータ等を大型ディスプレイに表示させる。大型ディスプレイは、データ表示の点で、会議出席者に対して視覚的に訴える効果が高く、プレゼンテーションの臨場感を高める。
【０００３】
こうした表示装置をさらに効果的に利用する一方法として、表示装置を画像形成装置と接続してシステム化することが挙げられる。表示装置の表示データを印刷することができれば、これを会議中の資料としたり、議事録としたりすることができる。このことによる効果として、会議参加者が会議内容への理解をより高めること、会議関係者が会議に出席せずして会議の内容を的確に把握できること、等がある。
【０００４】
表示装置において、会議中に例えば、スキャナから読込んだデータ（以下「読込データ」と呼ぶ。）を大型ディスプレイに表示した上で、表示画像の一部を指示したり、メモを記入したりするために、描画アプリケーション等により、ユーザが電子的な図形及び文字データ等を書込む場合がある。以下、このように書込まれたデータを、書込データと呼ぶ。読込データと書込データとの合成データが画面に表示される場合、書込データは読込データに比べ、より明るく鮮やかな態様となる傾向がある。これは、ユーザが書込データを作成する際、背景の読込データとは違う、鮮明な色を選択することが多いためである。このように、表示画像上で書込データが読込データと区別して表示されることにより、書込データはポインタの役割を果たすことができる。
【０００５】
このように、異なる種類のデータを合成した画像をあるデバイスに出力する場合、出力しようとする画像に不都合が生じる場合がある。
【０００６】
たとえば、複数種類のフォーマットの画像信号を扱う放送画像（以下「マルチフォーマットデータ画像」と呼ぶ。）では、次のような問題が生じることがある。マルチフォーマットデータ画像とは、動画、静止画、文字放送など、異なるフォーマットの画像信号が一画面に表示されることをいう。動画、静止画、文字放送などについては互いに画像の性格が異なり、ある種類の画像の画質を高く表示しようとすると、他の種類の画像が見づらくなってしまうという問題がある。
【０００７】
この問題を解決するための方策が、特許文献１に開示されている。特許文献１に開示の技術は、マルチフォーマットの放送画像において、各フォーマットのデータを互いに分離してレイヤー画像信号を生成し、レイヤー画像信号ごとに、各データの特性に合わせて予め設定されたパラメータにしたがってそれぞれ異なる画像処理を行なった後、これを合成して表示する。これにより各フォーマットのデータの表示画質をいずれも向上させることができる。
【特許文献１】特開２００２−４４５５９号公報
【発明の開示】
【発明が解決しようとする課題】
【０００８】
読込データと書込データとを重ねた合成データを表示する画像処理装置において、この合成データを印刷した場合、特に書込データについて、表示の態様に比べて不鮮明となったり、暗くくすんだ色になったりする傾向がある。これは、読込データと書込データとについて、ディスプレイ上で取り得るＲＧＢ値の範囲に相違があることに起因する。
【０００９】
図１は、読込データと、書込データのそれぞれが大型ディスプレイ上でとり得るＲＧＢ値を３次元グラフである。図１（Ａ）には、グラフ１は読込データのＲＧＢ値の範囲を示す。図１（Ａ）において、横軸はＲ値を、奥行きはＧ値を、縦軸はＢ値を、それぞれ示す。Ｒ値、Ｇ値及びＢ値の数値範囲は、それぞれ、０．０〜２５５．０である。図１（Ｂ）において、グラフ２は書込データのＲＧＢ値の範囲を示す。グラフ２の表示方法はグラフ１と同様である。
【００１０】
グラフ１（読込データ）とグラフ２（書込データ）とを比較すると、読込データは書込データに比べ、Ｒ値、Ｇ値及びＢ値のそれぞれにおいて数値範囲が狭いことが分かる。これは、スキャナなどの画像読取装置の特性による。このように、互いにＲＧＢ値の範囲の異なる画像を単純に重ねて、印刷のために画像処理を行なった場合には、全ての画像を好ましい形態で印刷することはできない。
【００１１】
特許文献１に開示の装置は、互いに異なるフォーマットの画像信号を重ねて表示する場合の表示画質を向上するためのものであり、このようにＲＧＢ値の範囲の異なる画像を合成して印刷する場合にそのまま適用することはできない。このため、特許文献１に開示の技術によっては、画像処理装置において読込及び書込データの合成データを適切に印刷できないという問題を解決することはできない。
【００１２】
また、書込データに特有の問題として、画面上では鮮やかな表示色で表示されているために良く視認できるが、印刷するときにはそうした鮮やかな色彩ではなくくすんだ色彩で印刷されてしまうため、読込データと区別できなくなってしまうという問題もある。こうした問題も、特許文献１に開示の技術では解決することができない。
【００１３】
すなわち、従来の技術では、第１の種類のカラー画像と、第２の種類のカラー画像とを含む画像について、適切に画像処理を行なうことができないという問題点があった。
【００１４】
したがって本発明の目的は、第１の種類のカラー画像及び第２の種類のカラー画像を含む合成データに関し、第１の種類のカラー画像及び第２の種類のカラー画像の両方について、適切な色変換を行なうことが可能な画像処理装置及びコンピュータプログラムを提供することである。
【００１５】
本発明の別の目的は、第１の種類のカラー画像及び第２の種類のカラー画像を含む合成データに関し、第１の種類のカラー画像及び第２の種類のカラー画像の両方について、適切な色変換を行なって互いに重畳して出力することが可能な画像処理装置及びコンピュータプログラムを提供することである。
【課題を解決するための手段】
【００１６】
本願発明の第１の局面に係る画像処理装置は、第１の種類のカラー画像データと、第２の種類のカラー画像データとを含むカラー画像データを記憶するための記憶手段と、予め定める画像処理の指示に応答して、第１の種類のカラー画像データに対する第１の色変換処理を実行するための第１の画像処理手段と、指示に応答して、第２の種類のカラー画像データに対して、第１の色変換処理と異なる第２の色変換処理を実行するための第２の画像処理手段とを含む。
【００１７】
第１の種類のカラー画像と、第２の種類のカラー画像とは、色の特性が異なることが多い。そのため、それらに対して同一の色変換処理を実行すると、少なくともいずれか一方のカラー画像の画質が劣化することが避けられない。それに対し、第１の種類のカラー画像に対しては第１の画像処理手段により第１の色変換処理を実行し、第２の種類のカラー画像に対して、第２の画像処理手段により、第１の色変換処理と異なる第２の色変換処理を施すことにより、双方の色変換を適切に行なうことが可能になる。その結果、第１の種類のカラー画像及び第２の種類のカラー画像を含む合成データに関し、第１の種類のカラー画像及び第２の種類のカラー画像の両方について、適切な色変換を行なうことが可能な画像処理装置を提供することができる。
【００１８】
好ましくは、画像処理装置はさらに、第１の画像処理手段により色変換された第１の種類のカラー画像データに、第２の画像処理手段により色変換された第２の種類のカラー画像データを重畳して出力するための出力手段を含む。
【００１９】
出力手段を設けることにより、第１の画像処理手段によって色変換された第１の種類のカラー画像データに、第２の画像処理手段によって色変換された第２のカラー画像データを重畳して出力することができる。その結果、第１の種類のカラー画像及び第２の種類のカラー画像を含む合成データに関し、第１の種類のカラー画像及び第２の種類のカラー画像の両方について、適切な色変換を行なって互いに重畳して出力することが可能な画像処理装置を提供することができる。
【００２０】
より好ましくは、第１の画像処理手段は、画像処理の指示に応答して、第１の種類のカラー画像データに対して予め準備された第１の色変換プロファイルを指定して出力するための第１のプロファイル指定手段を含み、第２の画像処理手段は、画像処理の指示に応答して、第２の種類のカラー画像データに対して予め準備された、第１の色変換プロファイルと異なる第２の色変換プロファイルを指定して出力するための第２のプロファイル指定手段を含む。
【００２１】
このように、第１及び第２のカラー画像データに対して、予め準備されたプロファイルの中から、それぞれ第１の色変換プロファイルと第２の色変換プロファイルとを指定して出力することにより、そうしたカラー画像データを受信した印刷装置等の出力装置では、第１のカラー画像データに対しては第１の色変換プロファイルを使用して、第２のカラー画像データに対しては第２の色変換プロファイルを使用して、それぞれ色変換処理を行なうことができる。その結果、第１の種類のカラー画像及び第２の種類のカラー画像を含む合成データに関し、第１の種類のカラー画像及び第２の種類のカラー画像の両方について、外部の印刷装置などの出力装置が適切な色変換を行なうことを可能とする画像処理装置を提供することができる。
【００２２】
好ましくは、第２の画像処理手段を能動化及び不能化することが可能であり、第１の画像処理手段は、第２の画像処理手段が不能化されたときには、第２の種類のカラー画像データについても第１の色変換処理を実行することを特徴とする。
【００２３】
第２の画像処理手段を能動化すれば、上記したように第１の種類のカラー画像データと第２の種類のカラー画像データとの双方に対して適切な画像処理を実行することができる。一方、第１の種類の画像データと第２の種類の画像データとの間に画像の色分布の相違がそれほどない場合、又は別々の画像処理を行なうことを使用者が望まない場合には、第２の画像処理手段を不能化することで、両者をまとめて第１の画像処理手段で処理することができる。
【００２４】
本願発明の第２の局面に係るコンピュータプログラムは、コンピュータにより実行されると、当該コンピュータを、第１の種類のカラー画像データと、第２の種類のカラー画像データとを含むカラー画像データを記憶するための記憶手段と、予め定める画像処理の指示に応答して、第１の種類のカラー画像データに対する第１の色変換処理を実行するための第１の画像処理手段と、指示に応答して、第２の種類のカラー画像データに対して、第１の色変換処理と異なる第２の色変換処理を実行するための第２の画像処理手段として機能させる。
【発明の効果】
【００２５】
以上のように本発明によれば、第１の種類のカラー画像に対しては第１の画像処理手段により第１の色変換処理を実行し、第２の種類のカラー画像に対して、第２の画像処理手段により、第１の色変換処理と異なる第２の色変換処理を施す。この構成により、双方の色変換を適切に行なうことが可能になる。したがって、第１の種類のカラー画像及び第２の種類のカラー画像を含む合成データに関し、第１の種類のカラー画像及び第２の種類のカラー画像の両方について、適切な色変換を行なうことが可能な画像処理装置及びコンピュータプログラムを提供することができる。
【００２６】
また、第１の画像処理手段により色変換された第１の種類のカラー画像データに、第２の画像処理手段により色変換された第２の種類のカラー画像データを重畳して出力することにより、第１の種類のカラー画像及び第２の種類のカラー画像を含む合成データに関し、第１の種類のカラー画像及び第２の種類のカラー画像の両方について、適切な色変換を行なって互いに重畳して出力できる。
【発明を実施するための最良の形態】
【００２７】
以下、本実施の形態に係る画像処理システムについて説明する。以下の説明及び図面では、同一の部品には同一の参照符号及び名所を付してある。それらの機能も同一である。したがって、それらについての詳しい詳細は繰返さない。
【００２８】
図２に、従来の技術による、第１の種類のカラー画像データである読込データと、第２の種類のカラー画像データである書込データとの合成画像の表示及び印刷の例を示す。最初に画像処理システムの表示部において、表示画像３として読込データ６のみが表示されているものとする。その後、データ７及び８を含む書込データ９が記入された場合には、読込データ６と書込データ９との合成データが表示画像４として表示される。
【００２９】
この合成画像を印刷する場合には、画像処理によって、表示の際のＲＧＢ表色系の値を、印刷に使用されるＣＭＹＫ表色系の値に変換する。この変換の際に、ＲＧＢ表色系の各値を、ＣＭＹＫ表色系の値に変換する必要がある。これを定めるのが色変換プロファイルと呼ばれるデータである。従来技術の問題点で説明した、合成画像の印刷時の問題は、合成画像中に読込データと書込データとが存在しており、それらのとり得るＲＧＢ値の範囲が互いに異なっているにもかかわらず、一つの色変換プロファイルを使用して画像処理をしていることによって生じていると考えられる。印刷用の色変換プロファイルとは、ＲＧＢ表色系によって画面に表示したときの色あいと、ＣＭＹＫ表色系によって印刷したときの色あいとができるだけ一致するように適正化されたものである。
【００３０】
典型的には、上記した画像の印刷時には、読込データの特性に対して適正化された色変換プロファイルが使用される。そのため、同じ色変換プロファイルを使用して画像処理すると、書込データの色がくすんでしまうという問題が生じている。すなわち、書込データについては、適切でない色変換プロファイルを用いて画像処理されるため、表示時とは異なる色で印刷されてしまうという問題がある。
【００３１】
具体的には、図２に示される印刷後の印刷画像５において、読込データ１０は、印刷前の読込データ６と変らない色あいで印刷されるが、書込データ１３（データ１１及び１２を含む）は、印刷前に比べ、不鮮明になったり、色がくすんだりする傾向がある。
【００３２】
以下に説明する実施の形態では、この問題を解決するために、読込データと書込データとを別レイヤーに保持して互いに区別して記憶装置に保持しておき、印刷時には、それぞれ別の、読込データと書込データとにそれぞれ最適化された色変換プロファイルを使用することによりこの問題を解決する。
【００３３】
［第１の実施の形態］
図３に、以下に説明する本願発明の第１の実施の形態に係る画像処理システムにおける、読込データと書込データとの合成画像の表示及び印刷の例を示す。最初に画像処理システムの表示部において、表示画像２０として読込データ３１のみが表示されているものとする。その後、データ３５及び３６を含む書込データ３４が記入され、読込データ３２と書込データ３４とを重畳した合成データが表示画像２２として表示される。本実施の形態では、このような合成データを、読込データ及び書込データに分別して記憶する。ここでは読込データ３２は記憶領域２４に、書込データ３４は記憶領域２５に記憶される。
【００３４】
この合成データに対して印刷指示があった場合、第１の実施の形態に係る画像処理システムは、読込データ３２に対して読込データ用の第１の画像処理３８を、書込データ３４に対して、第１の画像処理３８とは異なる、書込データ用の第２の画像処理４０を実行する。具体的には、第１の画像処理３８は、読込データに対して適切化された第１の色変換プロファイルを用いて読込データをＣＭＹＫ変換し、第２の画像処理４０は、書込データに対して適切化された第２の色変換プロファイルを用いて書込データをＣＭＹＫ変換する。第１の色変換プロファイルは、従来の技術で用いられているものと同様である。第２の色変換プロファイルは、印刷される書込データの各色が、画像処理前の書込データの表示時の色と同様の色として視認されるように作成される。これら色変換プロファイルは、表示装置と印刷装置との特性の組合せにしたがって予め作成される。
【００３５】
第２の画像処理４０は、書込データをより鮮明にして強調したい、もしくはより目立たないようにしたい等のユーザの要望に対応するため、太さ変換に関するテーブルを用いて、書込データの太さを変換する処理をさらに含む。ここで使用する太さ変換テーブルは、書込データについては、印刷時に、処理前のデータを構成する線の太さを変換するように予め作成される。例えば、太さ変換テーブルを用いて書込データの太さがより太く変換され、表示画像での視認太さに比べ、より見易い書込データが印刷画像内に形成される。
【００３６】
本実施の形態では、図３に示すように、読込データ３２は第１の色変換プロファイルを使用した第１の画像処理３８により処理され、読込データ４２として記憶領域２８に記憶される。書込データ３４は第２の色変換プロファイルを使用した第２の画像処理４０により処理され、書込データ４４として記憶領域３０に記憶される。これらのデータは記憶領域４８において合成される。この合成データについて印刷が実行される。印刷データにおいて、書込データ４４（データ４５及び４６を含む）は、従来技術と異なり、表示時の書込データ３４と同程度の色あいで印刷され、読込データと明確に区別できる。
【００３７】
このように、本実施の形態では、読込画像及び書込データのそれぞれに対し、適切な画像処理が行なわれる。これにより従来技術のように、印刷の際に書込データのみ不鮮明になったり、色がくすんだりすることを回避することができる。
【００３８】
−構成−
＜外観構成＞
図４に、本実施の形態に係る画像処理システムの一部である情報表示装置５２の外観を斜視図により示す。
【００３９】
図２を参照して、情報表示装置５２は、会議を行なう際等に利用される大型の情報表示装置である。情報表示装置５２は、会議の主催者等によって使用される、表示装置上の位置を指定するタッチペン５４等によるユーザ指示にしたがい、後述する表示領域に会議の議事内容を表示する。
【００４０】
情報表示装置５２は、台座５８と、台座５８の上面上に設置され、横長の長方形形状をなす大型ＬＣＤ（Ｌｉｑｕｉｄ  Ｃｒｙｓｔａｌ  Ｄｉｓｐｌａｙ）６０と、大型ＬＣＤ６０と同様の形状を有し、大型ＬＣＤ６０の前面に一体的に重ねて設けられる透明タッチパネル６２と、大型ＬＣＤ６０及び透明タッチパネル６２の下側に設置され、前面に上下一対の開口６４Ａ，６４Ｂが形成されるカラースキャナ６４と、台座５８に設置されるＰＣ６６とを含む。
【００４１】
台座５８は、平坦な上面を有する基台６８と、この基台６８及び大型ＬＣＤ６０の両者を連結する左右一対の脚７０とを備えている。基台６８の底部には、情報表示装置５２を移動させるための４つのキャスタ輪６８Ａが回転自在に取り付けられている。各脚７０は、幅広の薄板部材であって、所定の間隔を隔てた状態で基台６８の上面に直立している。これら脚７０の各先端面に大型ＬＣＤ６０が取り付けられている。脚７０の間にＰＣ６６が配置されている。
【００４２】
大型ＬＣＤ６０は、その前面に形成された画像情報の画面表示を行なうための表示領域を有する。この大型ＬＣＤ６０の表示領域は、大型ＬＣＤ６０の外郭形状と相似形状を有しており、大型ＬＣＤ６０の前面の大部分を占めている。
【００４３】
カラースキャナ６４は、プレゼンテーション原稿等を読取るための装置であって、上側の開口６４Ａから上記原稿が搬入されて下側の開口６４Ｂから上記原稿が排出される。ＰＣ６６は、情報表示装置５２を制御するための装置である。これについては後述する。
【００４４】
タッチペン５４を使用して大型ＬＣＤ６０上の位置を指定することにより、透明タッチパネル６２がその位置を検知し、座標情報として出力する。ＰＣ６６がこの情報を受けると、適切な画像処理プログラムによって使用者により入力された書込データを作成することができる。すなわち、ＰＣ６６によって、使用者の入力画像が作成される。
【００４５】
＜ハードウエア構成＞
図５に、本実施の形態に係る画像処理システム５０のハードウエア構成をブロック図形式で示す。図５を参照して、画像処理システム５０は、情報表示装置５２と、情報表示装置５２から出力される印刷データを印刷する画像形成装置９０とを含む。
【００４６】
情報表示装置５２は、前述したとおり、表示・入力部５９、カラースキャナ６４、及びＰＣ６６を含む。画像形成装置９０は、ＰＣ６６に接続され、ＰＣ６６から与えられる印刷データにしたがって画像を形成し印刷する機能を有する。ＰＣ６６から出力される印刷データは、後述するようにＲＧＢ表色系で表現された印刷対象データと、その印刷対象データを色変換する際に使用する色変換テーブルとからなる。本実施の形態では、この印刷対象データと色変換テーブルとの組合せが、読込データと書込データとの双方に対して作成され、ＰＣ６６から画像形成装置９０に与えられる。
【００４７】
図６に、図５に示す表示・入力部５９のハードウエア構成をブロック図形式で示す。図６を参照して、表示・入力部５９は、ＰＣ６６に接続され、カラースキャナ６４により読込まれた読込画像等の、ＰＣ６６から与えられる画像を表示するための大型ＬＣＤ６０と、ＰＣ６６に接続され、図４に示すタッチペン５４によりユーザが大型ＬＣＤ６０上に触れた位置を示す座標データをＰＣ６６に出力するための透明タッチパネル６２とを含む。ＰＣ６６は、この座標データを受けることにより、ユーザからの指示を判定したり、ユーザが書込んだデータの形状を決定したりする。
【００４８】
図７に、図５に示すＰＣ６６のハードウエア構成をブロック図形式で示す。図７を参照して、ＰＣ６６は、大型ＬＣＤ６０、透明タッチパネル６２及びカラースキャナ６４が接続された双方向のバス１３２と、バス１３２に接続され、図示しないキーボード及びマウス等により構成され、ユーザからの入力を受けユーザ指示を信号に変えてバス１３２上に出力するための入力部１２０と、バス１３２及び画像形成装置９０に接続され、画像形成装置９０とバス１３２上の各ブロックと間のデータの送受信を仲介するためのインターフェイス（以下「Ｉ／Ｆ」と呼ぶ。）１２８と、バス１３２に接続され、表示・入力部５９に表示された読込データ及び書込データにそれぞれ、印刷のための別々の画像処理を行なうための所定のプログラム、及び、情報表示装置５２の一般的機能を実行するためのプログラムを実行するＣＰＵ（Ｃｅｎｔｒａｌ  Ｐｒｏｃｅｓｓｉｎｇ  Ｕｎｉｔ）１２２と、ＰＣ６６のブートアッププログラム及びＣＰＵ１２２がプログラム実行の際に使用する定数などを記憶するためのＲＯＭ（Ｒｅａｄ−Ｏｎｌｙ  Ｍｅｍｏｒｙ）１２４と、バス１３２に接続されたＲＡＭ（Ｒａｎｄｏｍ  Ａｃｃｅｓｓ  Ｍｅｍｏｒｙ）１２６と、バス１３２に接続され、ＣＰＵ１２２が実行するプログラム及び大型ＬＣＤ６０に表示するためのデータ等を格納するためのＨＤＤ（Ｈａｒｄ  Ｄｉｓｋ  Ｄｒｉｖｅ）１３０とを含む。なお、ＰＣ６６は図示しない外部装置との通信を行なうための通信部をさらに含む。
【００４９】
後述する印刷のための画像処理プログラムは、通信部を介して他の装置からＰＣ６６に送信され、ＨＤＤ１３０に記憶される。通信部に代えて、磁気テープ、カセットテープ等のテープ、フレキシブルディスク及びハードディスク等の磁気ディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＭＯ（Ｍａｇｎｅｔｏ−Ｏｐｔｉｃａｌ  Ｄｉｓｃ）、ＭＤ（Ｍｉｎｉ  Ｄｉｓｃ）、及びＤＶＤ（Ｄｉｇｉｔａｌ  Ｖｅｒｓａｔｉｌｅ  Ｄｉｓｃ）等の光ディスク、並びに、マスクＲＯＭ、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）及びフラッシュメモリ等の半導体メモリの読取りが可能な装置を設けることで、外部記憶媒体に記憶されたプログラムをＰＣ６６中に導入することができることは、当業者であれば容易に理解できるであろう。
【００５０】
図８は、図７に示すＨＤＤ１３０に格納され、印刷指示を受けてＣＰＵ１２２がそのコピーを作成し、ＲＡＭ１２６により記憶される、図３に示す第２の画像処理４０が使用する第２の色変換プロファイルの一例である。ここではプロファイルは所定のテーブル情報（色変換テーブル１８０）の形式で予め準備されるものとする。図８を参照して、色変換テーブル１８０は、色を識別するための色番号を示す色番号カラムと、図６に示す大型ＬＣＤ６０に表示される各色のＲＧＢ値を示す表示装置カラムと、画像形成装置９０により印刷される際の各色のＣＭＹＫ値を指示する出力装置カラムとを含む。例えば、色番号５１０は白に相当し、表示装置（大型ＬＣＤ６０）において、Ｒ＝２５５、Ｇ＝２５５、Ｂ＝２５５である。印刷時、色番号５１０は出力装置（画像形成装置９０）においてＣ＝０、Ｍ＝０、Ｙ＝０、Ｋ＝０に変換される。
【００５１】
図９に、図７に示すＨＤＤ１３０に格納された、図３に示す第２の画像処理４０における太さ変換テーブルの一例を示す。太さ変換テーブル１８２は、大型ＬＣＤ６０に表示される際、ユーザにより選択されたペン入力の太さを示す入力装置カラムと、画像形成装置９０により出力される際の各ペン入力太さに対するプリンタドット数を示す出力装置カラムとを含む。例えば、入力装置（大型ＬＣＤ６０）においてペン太さ０で入力された書込データは、印刷時、出力装置（画像形成装置９０）ではプリンタドット数２１により印刷される。
【００５２】
図１０は、画像形成装置９０の内部構造を説明するための図である。図１０を参照して、画像形成装置９０は、実質的にはデジタル複合機であって、画像形成部１８８と、画像形成部１８８の上部に配置された原稿画像読取装置１８６と、画像形成部１８８の下部に配置された用紙給紙部１９０とを含む。
【００５３】
原稿画像読取装置１８６は、原稿台２００と、原稿台２００に載置された原稿を後述する画像情報読取部へ送るための原稿自動搬送部２０２と、画像読取処理が終了し排紙された原稿を受ける原稿排紙トレイ２０３とを含む。
【００５４】
原稿画像読取装置１８６は、上面に配置され、原稿画像読取装置１８６により原稿読取位置に搬送された原稿の画像情報を読取るための画像情報読取部１９２を含む。画像情報読取部１９２は、画像情報読取部１９２の上面に沿って平行に往復移動する、図示しない原稿走査ユニット、光学レンズ、及び光電変換素子であるＣＣＤ（Ｃｈａｒｇｅ  Ｃｏｕｐｌｅｄ  Ｄｅｖｉｃｅ）ラインセンサを含む。画像情報読取部１９２は、原稿の白黒及びカラー画像を読取り、該画像の画像情報を出力する。
【００５５】
原稿画像読取装置１８６は、画像情報読取部１９２及び図示しないＰＣ６６等の外部装置の出力信号を受けるように接続され、画像情報読取部１９２及び外部装置から与えられた信号に対して印刷のための画像変換処理を実行して画像情報を出力するための、後述する画像処理部と、画像処理部の出力信号を受けるように接続され、画像処理部からの画像信号に基づいて画像を形成するための画像形成部１９３とを含む。画像形成部１９３は通常のカラー印刷装置と同様の構成を持ち、感光体ドラムと、入力信号に基づいてレーザ光を照射して感光体ドラム上に静電潜像を形成するレーザスキャニングユニット（ＬＳＵ）２０１と、形成された静電潜像に基づきトナー像を記録紙に形成するための現像器及び転写ユニット等とを含む。
【００５６】
画像形成装置９０は、さらに、画像形成部１９３において形成され、記録紙に転写された画像を記録紙に定着させるための定着部１９５と、画像が定着された記録紙の排出を受けるための排紙部１９６と、画像形成装置９０の全体の動作を制御するための制御部１９７とを含む。本実施の形態では、制御部１９７は画像処理部を兼ねる。
【００５７】
用紙給紙部１９０は、画像形成部１９３に対して記録紙を供給するための記録紙供給部１９４と、大量の記録紙を収容し供給するためのＬＣＣ（Ｌａｒｇｅ  Ｃａｐａｃｉｔｙ  Ｃａｂｉｎｅｔ）２０４とを含む。
【００５８】
図１１に、画像形成装置９０のハードウエア構成を概略ブロック図で示す。図１１を参照して、画像形成装置９０は、双方向のバス１６２と、バス１６２に接続され、ユーザ指示を信号に変換してバス１６２上に出力するための入力部１７０と、バス１６２に接続された制御部１９７と、制御部１９７に接続され、制御部１９７からの指示に従い印刷を行なうためのプリンタエンジン１７４とを含む。
【００５９】
制御部１９７は、ＰＣ６６のＩ／Ｆ１２８に接続され、ＰＣ６６との間の通信を仲介するためのＩ／Ｆ１５０と、Ｉ／Ｆ１５０及びバス１６２に接続され、ＰＣ６６より受信した読込データ及び書込データを、それぞれに添付される色変換プロファイルにしたがって画像処理し印刷するための所定の画像処理プログラム、及び、画像形成装置９０としての一般的機能を実現するためのプログラムを実行するためのＣＰＵ１５２と、バス１６２及びプリンタエンジン１７４に接続され、ＣＰＵ１５２とプリンタエンジンとの間の通信を仲介するためのエンジンＩ／Ｆ１５８と、バス１６２に接続されたＲＯＭ１５４、ＲＡＭ１５６、及びＨＤＤ１６０とを含む。
【００６０】
＜プログラム構成＞
図１２は、図７に示すＰＣ６６の入力部１２０による印刷指示に応答して起動され、ＣＰＵ１２２により実行される、読込データ及び書込データのそれぞれに対し異なる処理を実行して、別々の色変換プロファイルを添付して画像形成装置９０に出力するためのプログラムの制御構造を示すフローチャートである。なお、図７に示すＨＤＤ１３０には、予め読込データ用の色変換プロファイルと、書込データ用の色変換プロファイル及び太さ変換テーブルとが格納されている。
【００６１】
図１２を参照して、このプログラムは、印刷対象データのうち、読込データを印刷用のデータフォーマットに変換し、第１の色変換プロファイルを指定して読込データに添付するステップ２３０と、印刷対象データに書込データがあるか否かを判定し、判定結果に応じて制御の流れを分岐させるステップ２３２と、ステップ２３２において書込データがあると判定されたことに応答して実行され、書込データを印刷用のデータフォーマットに変換し、さらに、図８に示す色変換テーブル１８０のような第２の色変換プロファイルを指定して、書込データに添付するステップ２３４と、ステップ２３４の後に実行され、書込データに対し、図８に示す太さ変換テーブル１８２のような太さ変換テーブルを指定して添付するステップ２３６と、ステップ２３６の後、及びステップ２３２においてＮＯと判定された事に応答して実行され、印刷対象データ及び添付された各プロファイルを画像形成装置９０に出力するステップ２３８とを含む。ステップ２３８の後、処理は終了する。
【００６２】
ステップ２３８において、印刷対象データが読込データのみの場合は、読込データ及び第１の色変換プロファイルを、印刷対象データが読込及び書込データの合成データの場合は、読込データ、第１の色変換プロファイル、書込データ、第２の色変換プロファイル、及び、太さ変換テーブルを、それぞれ、画像形成装置９０へ出力する。
【００６３】
図１３は、画像形成装置９０において、図１１のＣＰＵ１５２が、ＰＣ６６より、印刷指示を示す信号、並びに印刷対象データ及び添付プロファイルを受けたことに応答して起動され、ＣＰＵ１５２が実行する、読込及び書込データのそれぞれに対し異なる画像処理を行ない印刷するためのプログラムの制御構造を示すフローチャートである。
【００６４】
図１３を参照して、このプログラムは、印刷対象データのうち読込データを第１の色変換プロファイルに基づきＲＧＢ表示からＣＭＹＫ表示へ変換するステップ２５０と、ステップ２５０の後に実行され、印刷対象データに書込データがあるか否かを判定し、判定結果に応じて制御の流れを分岐させるステップ２５２と、ステップ２５２において、書込データがあると判定されたことに応答して実行され、書込データに添付された太さ変換テーブルに基づき、書込データの太さを変換するステップ２５４と、ステップ２５４の後に実行され、書込データに添付された第２の色変換プロファイルに基づき、書込データをＲＧＢ表示からＣＭＹＫ表示へ変換するステップ２５６と、ステップ２５６の後に実行され、ＣＭＹＫ表示の読込データ及び書込データを合成するステップ２５８と、ステップ２５８の後、及び、ステップ２５２において書込データが無いと判定されたことに応答して実行され、印刷を実行するステップ２６０とを含む。ステップ２６０の後、処理は終了する。
【００６５】
−動作−
以上に構成を説明した画像処理システム５０は、以下のように動作する。なお、以下の説明において、便宜上、画像処理システム５０に係る全ての構成要素の主電源は常時投入されているものとする。
【００６６】
図１４を参照して、画像処理システム５０において、カラースキャナ６４及び原稿画像読取装置１８６等から読込まれた読込データ３００ａが大型ＬＣＤ６０上に表示されていたものとする。ユーザがタッチペン５４により透明タッチパネル６２に書込データ３００ｂを入力したものとする。読込データ３００ａ及び書込データ３００ｂはそれぞれ別のレイヤーのデータとしてＲＡＭ１２６内に保持される。ＣＰＵ１２２は大型ＬＣＤ６０上に、読込データ３００ａ及び書込データ３００ｂを合成して合成データ３００として表示する。読込データ３００ａ及び書込データ３００ｂは共にＲＧＢ表色系によって表されている。この記憶の態様は、合成データ３００がユーザ指示に応じてＨＤＤ１３０に格納された場合も同様である。
【００６７】
前述の印刷指示に応答して、図１２に制御構造を示すプログラムが起動される。図１２に示すステップ２３０において、ＣＰＵ１２２は読込データ３００ａを印刷用のデータフォーマットの読込データ３０２ａに変換する。ＣＰＵ１２２は、さらに、読込データ３０２ａに対し、ＨＤＤ１３０に格納される画像処理情報の中からＲＧＢ表示をＣＭＹＫ表示へ変換するための、読込データ用の第１の色変換プロファイル３０４ａを指定する。
【００６８】
図１２に示すステップ２３２〜ステップ２３６において、ＣＰＵ１２２は書込データ３００ｂを印刷用のデータフォーマットの書込データ３０２ｂに変換する。ＣＰＵ１２２は、さらに、書込データ３０２ｂに対し、ＨＤＤ１３０に格納される画像処理情報の中からＲＧＢ表示をＣＭＹＫ表示へ変換するための、書込データ用の第２の色変換プロファイル３０４ｂと、太さ変換テーブル３０６とを指定する。
【００６９】
図１２に示すステップ２３８において、ＣＰＵ１２２は、Ｉ／Ｆ１２８を介して、前述の読込データ３０２ａ、第１の色変換プロファイル３０４ａ、書込データ３０２ｂ、第２の色変換プロファイル３０４ｂ、及び太さ変換テーブル３０６を含むデータ３１０を画像形成装置９０へ出力する。
【００７０】
なお、印刷対象データに書込データが含まれていない場合は、読込データ３０２ａ及び第１の色変換プロファイル３０４ａのみが出力される。
【００７１】
これに応答して、画像形成装置９０は以下のように動作する。図１１及び図１４を参照して、Ｉ／Ｆ１５０が、ＰＣ６６からの印刷指示信号及びデータ３１０を受けたことに応答して、図１３に制御構造を示すプログラムが起動される。ＣＰＵ１５２は、データ３１０に対し以下のような画像処理を行ない、処理後のデータをＲＡＭ１５６内に記憶する。すなわち、図１３に示すステップ２５０において、ＣＰＵ１５２は読込データ３０２ａを第１の色変換プロファイル３０４ａによりＣＭＹＫ表示に変換し読込データ３１２ａを作成し記憶する。図１３に示すステップ２５２〜２５６において、書込データ３０２ｂに対し、太さ変換テーブル３０６を用いて太さ変換をし、さらに、第２の色変換プロファイル３０４ｂによってＣＹＭＫ変換することにより書込データ３１２ｂを作成し記憶する。
【００７２】
ステップ２５８において、ＣＰＵ１５２は読込データ３１２ａ及び書込データ３１２ｂを合成してデータ３１４を作成し、印刷する。
【００７３】
なお、入力された印刷対象データが読込データのみであった場合、読込データ３１２ａのみを印刷する。
【００７４】
より具体的な例として、図１５は、第１の色変換プロファイル３０４ａ及び第２の色変換プロファイル３０４ｂにより、読込データ及び書込データをそれぞれ、ＲＧＢ表示からＣＭＹＫ表示へ変換した場合の色数値の変換例を示す。
【００７５】
図１５（Ａ）及び図１５（Ｃ）は読込データの、図１５（Ｂ）及び図１５（Ｄ）は書込データの典型的な変換例を、それぞれ示す。これらの図において、左側のＲ，Ｇ，Ｂの値はそれぞれ、情報表示装置５２の大型ＬＣＤ６０でのある画素のＲＧＢ表示の値を、右側のＣ，Ｍ，Ｙ，Ｋの値はそれぞれ、左側のＲ，Ｇ，Ｂにより示される色を色変換プロファイルを用いて変換したことにより、画像形成装置９０により印刷される際のＣＭＹＫ表示の値を示す。図１５（Ａ）及び図１５（Ｂ）は白色の、図１５（Ｃ）及び図１５（Ｄ）は黒色の例である。
【００７６】
図１５（Ａ）及び図１５（Ｂ）により、白色における読込データ及び書込データの色変換を比較すると、表示データの値は図１５（Ａ）ではＲ，Ｇ，Ｂいずれも２３０、図１５（Ｃ）ではＲ，Ｇ，Ｂいずれも２５５となっているのに対し、印刷時は図１５（Ａ）（Ｃ）ともにＣ＝Ｍ＝Ｙ＝Ｋ＝０となっている。
【００７７】
また、図１５（Ｃ）及び図１５（Ｄ）により、黒色における読込データ及び書込データの色変換を比較すると、Ｒ，Ｇ，Ｂ値がいずれも１５か、いずれも０である、という相違があり、印刷時は、ＣＭＹＫ値はいずれも異なっている。
【００７８】
この変換の相違は、読込データと、書込データとについて、それぞれ最適な色変換プロファイルを使用しているために生じている。
【００７９】
このことから、読込データと書込データとで、異なる色変換を行ない印刷することにより、処理前後で、読込データと書込データとの各々について、色あいに相違が生ずることをできるだけ抑えているといえる。したがって、本実施の形態によれば、読込データのみならず、書込データも、印刷時に色あいの変化を抑制することができる。
【００８０】
以上のように、本実施の形態に係る画像処理システム５０により、読込及び書込データを含む合成データを印刷する際、読込及び書込データの両方について、それぞれ適切な画像処理を行なって印字することが可能となる。さらに、読込及び書込データの両方について、表示色及び表示態様を表示時と同様に再現することが可能となる。本画像処理システムによれば、合成データの印字において、書込データの鮮やかな表示色を印字に反映させることができる。
【００８１】
［変形例］
第１の実施の形態において、処理前のデータの画像処理は画像形成装置で行なわれていた。しかし、本発明はそのような実施の形態には限定されない。読込及び書込データに対しそれぞれに最適な画像処理が行なわれ、印刷することにより表示色を印刷に反映させることができれば、どのような態様であっても良い。例えば、情報表示装置が、処理前の読込及び書込データに対しそれぞれ適切な色変換プロファイルに基づいて画像処理を行ない、画像処理後の読込及び書込データを合成した合成データを画像形成装置に出力する態様であっても良い。この場合、印刷対象データが読込データのみの場合は、画像処理後の読込データを画像形成装置へ出力する。
【００８２】
また、上記した実施の形態では、書込データが存在する場合には常に、第２の画像処理４０が能動化されており、読取データと書込データとに対し別々の色変換プロファイルを適用して印刷を行なっている。しかし本発明はそのような実施の形態には限定されない。たとえば、ある設定値によって第２の画像処理４０を不能化することによって、従来と同様、読取データと書込データとの双方に同一の第１の色変換プロファイルを適用するような動作モードに切替えるようにしてもよい。
【００８３】
また、上記した実施の形態では、カラースキャナで読取った画像と、書込データとによるＲＧＢ値の範囲の相違による印刷時の問題を解消している。しかし、本システムで取り扱うデータは、カラースキャナで読取った画像には限定されない。たとえばカメラなど、装置に特有のＲＧＢの範囲で画像を形成するような装置であれば、カラースキャナと同様、特別な色変換プロファイルを用意し、書込データと区別して画像処理を行なうようにしてもよい。
【００８４】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、底の記載された文言と均等の意味を世に範囲内での全ての変更を含む。
【図面の簡単な説明】
【００８５】
【図１】読込データ及び書込データのそれぞれが大型ＬＣＤに表示される際にとり得るＲＧＢ値を示す３次元グラフである。
【図２】従来の技術による読込データと書込データとの合成データの表示及び印刷の例を示す図である。
【図３】第１の実施の形態に係る読込データと書込データとの合成データの表示及び印刷の例を示す図である。
【図４】第１の実施の形態に係る情報表示装置５２の外観図である。
【図５】本実施の形態に係る画像処理システム５０のハードウエアブロック図である。
【図６】図５に示す表示・入力部５９のハードウエアブロック図である。
【図７】図５に示すＰＣ６６のハードウエアブロック図である。
【図８】書込データの色変換テーブル１８０を示す図である。
【図９】書込データの太さ変換テーブル１８２を示す図である。
【図１０】図５に示す画像形成装置９０の内部構造を示す図である。
【図１１】画像形成装置９０のハードウエアブロック図である。
【図１２】図７に示すＣＰＵ１２２により実行される、読込及び書込データのそれぞれに、異なる画像処理プロファイルを作成するためのプログラムの制御構造を示すフローチャートである。
【図１３】図１１に示すＣＰＵ１５２により実行される、読込及び書込データのそれぞれに対し異なる画像処理を行ない印刷するためのプログラムの制御構造を示すフローチャートである。
【図１４】表示及び印刷の際にＰＣ６６及び画像形成装置９０の記憶領域にそれぞれ記憶される情報の推移を模式的に示す図である。
【図１５】画像処理システム５０において表示した読込及び書込データを印刷した際の色を示す数値の変化の様子を説明するための図である。
【符号の説明】
【００８６】
５０  画像処理システム
５２  情報表示装置
５４  タッチペン
６０  大型ＬＣＤ
６２  透明タッチパネル
６４  カラースキャナ
６６  ＰＣ
９０  画像形成装置
１２０、１７０  入力部
１２２、１５２  ＣＰＵ
１２４、１５４  ＲＯＭ
１２６、１５６  ＲＡＭ
１２８、１５０、１５８  Ｉ／Ｆ
１３０、１６０  ＨＤＤ
１７４  プリンタエンジン
【図１】
0004668973.tif 000002
【図２】
0004668973.tif 000003
【図３】
0004668973.tif 000004
【図４】
0004668973.tif 000005
【図５】
0004668973.tif 000006
【図６】
0004668973.tif 000007
【図７】
0004668973.tif 000008
【図８】
0004668973.tif 000009
【図９】
0004668973.tif 000010
【図１０】
0004668973.tif 000011
【図１１】
0004668973.tif 000012
【図１２】
0004668973.tif 000013
【図１３】
0004668973.tif 000014
【図１４】
0004668973.tif 000015
【図１５】
0004668973.tif 000016